(57)【要約】【課題】携帯形の丸鋸盤において、従来ベースの前後二カ所に設けたアンギュラープレートを介して切断機本体を傾動可能に支持する構成となっていたため、モータ冷却風ですみ線ガイド部の切断粉を吹き飛ばす構成とする場合に、前側のアンギュラープレートが邪魔になるため、これを迂回させるためのダクトが必要であった。本発明では、モータ冷却風をすみ線ガイドに直接吹き付けることができるようにする。【解決手段】ベース１１の前側のアンギュラープレートを省略して、モータ２１の側部から吹き出される冷却風が従来のような迂回用のダクトを用いることなく直接すみ線ガイド部Ｇに吹き付けられるようにする。【選択図】図１
2007331044.tif 000002
【特許請求の範囲】
【請求項１】
切断材の上面に載せて移動させるベースと、該ベースの上面に前後の傾斜支持機構を介して切断進行方向側方へ傾斜可能に支持された切断機本体を備えた丸鋸盤であって、
前記切断機本体は、電動モータにより回転する円形の鋸歯と、該鋸歯の上部を覆うブレードケースを備え、
前記前側の傾斜支持機構は、前記ベースの前端に設けた傾斜支持部に支軸を介して前記ブレードケースの前端部を切断進行方向側方へ傾斜可能に支持した構成とされ、
前記後側の傾斜支持機構は、前記ベースの上面から上方へ張り出して設けた傾斜支持壁部に、前記前側の支軸と同軸に設けた後側の支軸を介して前記ブレードケースの後端部を切断進行方向側方へ傾斜可能に支持した構成とされ、
前記後側の傾斜支持機構について、前記切断機本体の傾斜位置を固定するための固定ねじを設けた傾斜支持機構。
【請求項２】
請求項１記載の傾斜支持機構であって、前記電動モータの側部にモータ冷却風の吹き出し口を備え、該吹き出し口から前記ベースの前端に設けたすみ線合わせ部に前記モータ冷却風を直接吹き付け可能な構成とした傾斜支持機構。
【発明の詳細な説明】
【技術分野】
【０００１】
この発明は、いわゆる携帯型の丸鋸盤であって、切断材の上面に沿って移動させながら当該切断材を切断する丸鋸盤において、ベースに対して切断機本体を傾斜支持するための機構に関する。
【背景技術】
【０００２】
この携帯型の丸鋸盤は、切断材の上面に載せ掛けるベースと、このベースの上面に支持された切断機本体を備えたもので、切断機本体は高速回転する円形の鋸歯（ブレード）を備えている。鋸歯の下部はベース下面側に突き出され、この突き出し部分が切断材に切り込まれる。
一般に、この種の丸鋸盤では、切断材に対して鋸歯を傾斜させていわゆる傾斜切りを行うためにベースに対して切断機本体が切断進行方向に対して左右に（通常は右側、以下単に側方ともいう）に傾動可能に支持されている（傾斜支持機構）。また、この種の丸鋸盤では、ベースの下面側への鋸歯の突き出し量（切り込み深さ）を調整可能とするため、切断機本体はその前部を中心にして上下に傾斜可能な状態でベース上面に支持されている（切り込み深さ調整機構）。
従来、前者の傾斜切りを行うための傾斜支持機構は、例えば特開２００１−２３２５１５号公報に開示されているようにベース上面の前後二カ所にアンギュラープレートと呼ばれる傾斜支持壁部が設けられていた。この前後二カ所の傾斜支持壁部には、それぞれ切断機本体の傾斜支点を中心とする円弧に沿って案内溝部が設けられ、この前後の案内溝部に固定ねじを挿通し、この両固定ねじをそれぞれ切断機本体側に締め込むと切断機本体が一定角度に傾斜した傾斜切り位置若しくは直角切り位置（鋸歯をベースに対して直交させた位置）に固定され、両固定ねじを緩めると切断機本体を切断進行方向に対して左右に傾斜させることができるようになっていた。
【特許文献１】特開２００１−２３２５０５公報
【発明の開示】
【発明が解決しようとする課題】
【０００３】
このように従来は、切断機本体の傾斜位置を固定するために前後二カ所の固定ねじを締め込む構成となっており、そのためにベースの前後二カ所にアンギュラープレートと称される傾斜支持壁部を上方へ立ち上げ状に設ける構成となっていた。この前後の傾斜支持壁部は、切断機本体の傾動範囲を一定角度以上（通常４５°前後）確保する必要から円弧形状の案内溝部も一定の角度範囲で設ける必要があり、その結果当該両案内壁部はそれぞれベースの上面から比較的大きな面積で上方へ張り出すこととなっていた。
この前後の傾斜支持壁部のうち前側の傾斜支持壁部は、通常切断部位（切断材に対する刃先の切り込み部）若しくはベース前端部に設けたすみ線ガイド部の近傍（以下、切断部位付近ともいう）に位置していた。このため、使用者が切断作業時に切断部位若しくはすみ線ガイド部を目視する際にこの前側の傾斜支持壁部が邪魔になってこれらを見づらいという問題があった。
また、この前側の傾斜支持壁部は、切断部位若しくはすみ線ガイド部付近で大きく張り出す状態に設けられていたため、これらに対する切断粉除去用のエアブロー、あるいは照明について邪魔になる場合があり、その結果エアブロー用のダクトを迂回させ、あるいは照明具の位置について制約を受ける等の問題があった。
本発明は、この問題を解消するためになされたもので、切断機本体の傾斜支持機構の機能を損なうことなく、使用者が切断部位付近を目視する際等にアンギュラープレートと称される傾斜支持壁部が邪魔にならないようにすることを目的とする。
【課題を解決するための手段】
【０００４】
このため、本発明は、特許請求の範囲の各請求項に記載した構成の傾斜支持機構とした。
請求項１記載の傾斜支持機構によれば、前側の傾斜支持機構と後側の傾斜支持機構により切断機本体がベースに対して切断進行方向側方へ傾動可能に支持されている。前側の傾斜支持機構は、ベース側の傾斜支持部に対してブレードケースの前端部が支軸を介して側方へ傾動可能に支持された構成とされ、後側の傾斜支持機構は、上方へ張り出す傾斜支持壁部に対してブレードケースの後端部が支軸を介して切断進行方向側方へ傾動可能に支持された構成とされている。この後側の傾斜支持機構には、固定ねじが設けられ、この固定ねじを締め込むことにより切断機本体の傾斜位置が固定される構成となっている。
このように前側の傾斜支持機構には、従来のような切断機本体の傾斜位置を固定するための固定ねじは設けられておらず、従って固定ねじを締め込むために必要な傾斜支持壁部は設けられていない。このため、ベースの前部に従来のように上方へ張り出す傾斜支持壁部（アンギュラープレート）を設ける必要がないので、使用者は切断部位やすみ線ガイド部を従来よりも目視しやすくなる。
請求項２記載の傾斜支持機構によれば、ベースの前部であって切断部位およびすみ線ガイド部付近に従来のような傾斜支持壁部を設ける必要がないので、モータ側部に設けたモータ冷却風吹き出し口からこれらの部位に直接モータ冷却風を吹き付けることができる。このため従来傾斜支持壁部を迂回させるためのダクト等を用いることなく、切断部位およびすみ線ガイド部にモータ冷却風を直接吹き付けて切断粉の除去をすることができる。
また、ベースの前部に上方へ張り出す傾斜支持壁部が存在しないため、駆動源としての電動モータ若しくはギヤヘッド部の側部に照明具を設けた場合に、この照明具により切断部位およびすみ線ガイド部を直接明るく照らすことができ、ひいては照明具の設置位置について自由度を高めることができる。
【発明を実施するための最良の形態】
【０００５】
次に、本発明の実施形態を図１〜図４に基づいて説明する。図１〜図４は、本実施形態の傾斜支持機構１を備えた携帯用の丸鋸盤１０を示している。この丸鋸盤１０は、切断材Ｗの上面に載せ掛ける平板状のベース１１と、このベース１１の上面側に上記傾斜支持機構１を介して支持した切断機本体２０を備えている。本実施形態は、傾斜支持機構１について特徴を有するもので、ベース１１および切断機本体２０自体の構成については特に変更を要しないが、以下簡単に説明する。
図中符号２１は当該丸鋸盤１０の駆動源としての電動モータを示している。この電動モータ２１の上部には使用者が把持するためのハンドル部２２が設けられている。ハンドル部２２の後部からは電源コード２３が引き出されている。
電動モータ２１の前部には減速用のギヤ列を収容したギヤヘッド部２５が取り付けられている。このギヤヘッド部２５と電動モータ２１の接合部付近にはモータ冷却風の吹き出し口２７が設けられている。電動モータ２１が起動すると内蔵した冷却ファン２８が回転し、これにより発生する冷却風がこの吹き出し口２７から側方へ吹き出される。また、吹き出し口２７の前側からは、スピンドル固定用のロックレバー２６が側方へ突き出す状態に設けられている。このロックレバー２６をロック側に移動操作するとスピンドル（図示省略）が回転不能にロックされ、これにより鋸歯の交換作業を楽に行えるようになっている。
ギヤヘッド部２５は、ブレードケース３０の裏面側（図１において手前側の側面、図２において右側面）に一体に設けられている。このギヤヘッド部２５の側部には、照明具４０が取り付けられている。ハンドル部２２に設けた照明スイッチ（図示省略）をオン操作すると、この照明具４０が点灯する。
ギヤヘッド部２５からブレードケース３０内に突き出されたスピンドル３１に円形の鋸歯３２が取り付けられている。この鋸歯３２の上側ほぼ半分の範囲の周縁および背面側がブレードケース３０で覆われている。
【０００６】
ブレードケース３０の前部と後部が傾斜支持機構１を介してベース１１に対して支持されている。傾斜支持機構１は、前側の傾斜支持機構１Ｆと後側の傾斜支持機構１Ｒから構成されている。先ず、前側の傾斜支持機構１Ｆについて説明する。
図３に示すようにベース１１の前端部（図３において右端部）には、柱状の傾斜支持部１１ａが上方へ立ち上がる状態に設けられている。この傾斜支持部１１ａの上部には支軸２を介して連結ブロック３が切断進行方向左右（切断進行方向側方）に回動可能に支持されている。図示するようにこの連結ブロック３の下部はＶ字形に形成されて支軸２の切断進行方向右側及び左側に傾斜面３ｃ、３ｄが設けられている。この両傾斜面３ｃ，３ｄにより、当該切断機本体２０の支軸２を中心とする切断進行に直交する方向の傾動動作が許容されるようになっている。
この連結ブロック３の上部には二つの支持縁部３ａ，３ｂが相互に対向して設けられている。両支持縁部３ａ，３ｂは、切断進行方向に直交する方向に沿って配置されている。この両支持縁部３ａ，３ｂ間に、支軸４が掛け渡し状に支持されている。この支軸４を介してブレードケース３０の前端部に設けた支持ボス部３０ａが当該支軸４の軸回りに回転可能に連結されている。
このようにブレードケース３０の前部は、支軸２と支軸４を介してベース１１に支持されている。ブレードケース３０の前部は、支軸２を介して切断進行方向左右に回動可能、かつ支軸４を介して切断進行方向に沿って回動可能に支持されている。これにより、切断機本体２０は、支軸２を中心にして切断進行方向左右に傾動可能、かつ支軸４を中心にして上下に傾動可能に支持されている。
後側の傾斜支持機構１Ｒは、図３および図４に示されている。ベース１１の後部には傾斜支持壁部５が設けられている。この傾斜支持壁部５は、いわゆるアンギュラープレートと称されるもので、上方へ張り出す状態に設けられている。図４に示すようにこの傾斜支持壁部５の右側に支軸６を介して切り込み深さ調整用のデプスガイド７の下部が回動可能に支持されている。このデプスガイド７は、ブレードケース３０の後部内周に沿って上方へ伸びている。このデプスガイド７は固定レバー８をロック位置に位置させることによりブレードケース３０に対して固定されている。固定レバー８をアンロック位置に移動操作すると、デプスガイド７のブレードケース３０に対する固定状態が解除され、従ってブレードケース３０ひいては切断機本体２０が支軸４を中心にして上下に傾動可能となり、これにより鋸歯３２のベース１１の下面側への突き出し寸法を調整していわゆる切り込み深さを調整することができる。
【０００７】
このデプスガイド７を介してブレードケース３０の後部側が切断進行方向左右に傾動可能に支持されている。後側の支軸６は、上記前側の支軸２と同軸に配置されている。その結果、ブレードケース３０ひいては切断機本体２０は、支軸２，６を中心にして切断進行方向左右に傾動可能に支持されている。
図４に示すように傾斜支持壁部５の左側には、支軸６（従って切断機本体２０の傾動中心）を中心とする円弧形状の傾斜案内溝部５ａが設けられている。この傾斜案内溝部５ａに固定ねじ９が挿通されている。
傾斜支持壁部５の背面側には、上記デプスガイド７に一体に設けたブラケット部７ａが重ね合わせられている。上記固定ねじ９はこのブラケット部７ａに締め込まれている。固定ねじ９を締め込んでブラケット部７ａを傾斜支持壁部５に固定すると切断機本体２０が傾動不能に固定される。固定ねじ９を緩めると、ブラケット部７ａが傾斜支持壁部５に対して変位可能となり、これによりデプスガイド７ひいては切断機本体２０が支軸２，６を中心にして切断進行方向左右に傾動可能な状態となる。
ブレードケース３０には、開閉カバー４５が開閉可能に設けられている。この開閉カバー４５は鋸歯３２と同じくスピンドル３１を中心にして回転可能に設けられている。この開閉カバー４５によって鋸歯３２の主としてベース１１の下面側に突き出された範囲の周縁部が覆われる。この開閉カバー４５は、図示省略したばねによって閉じ方向に付勢されている。
この開閉カバー４５は、切断作業時において切断材Ｗの端部に当接され、この当接状態で当該丸鋸盤１０の切断進行方向への進行により付勢力に抗して上方（図３において時計回り方向）へ回動する（開かれる）。この開閉カバー４５の後部には、ハンドル部４５ａが設けられている。使用者は、このハンドル部４５ａを上方へ移動操作することによって当該開閉カバー４５を手動で開放することができる。
図３において白抜きの矢印で示すように鋸歯３２はスピンドル３１を中心にして反時計回り方向に回転する。従って、鋸歯３２の前部とベース１１の下面との交差部位において鋸歯３２が切断材Ｗに切り込まれる。図３においてこの部位が切断部位Ｃとして示されている。
また、図１および図２に示すようにベース１１の前端には、すみ線ガイド部Ｇが設けられている。本実施形態では、Ｖ字形に切り込まれたすみ線ガイド部Ｇが例示されている。このすみ線ガイド部Ｇは、切断進行方向に直交する方向（切断機本体２０の傾動方向）について切断機本体２０の傾動中心（支軸２，６の軸線）に一致している。従って、鋸歯３２をベース１１に対して直角に位置させた状態（直角切り）において、すみ線にすみ線ガイド部Ｇを位置合わせすれば、鋸歯３２がすみ線に位置合わせされる。
【０００８】
以上のように構成した本実施形態の傾斜支持機構１によれば、切断機本体２０は、前側の傾斜支持機構１Ｆと後側の傾斜支持機構１Ｒによってベース１１の上面に傾動可能に支持されている。後側の傾斜支持機構１Ｒは、ベース１１上に設けた傾斜支持壁部５に円弧形状の傾斜案内溝部５ａを設け、この傾斜案内溝部５ａに固定ねじ９を挿通し、この固定ねじ９を切断機本体２０側となるデプスガイド７に一体に設けたブラケット部７ａに締め込むことにより切断機本体２０の傾斜位置を固定可能な構成を備えている。
これに対して、前側の傾斜支持機構１Ｆは、連結ブロック３を介してベース１１側の傾斜支持部１１ａにブレードケース３０の前端部を傾動可能に支持する構成とされ、後側の傾斜支持機構１Ｒにおける固定ねじ９、傾斜案内溝部５ａ、ブラケット部７ａ等から構成される固定構造を備えていない。このため、前側の傾斜支持機構１Ｒにおける傾斜支持部１１ａは、後側の傾斜支持機構１Ｒにおける傾斜支持壁部５のように上方へ大きな面積で張り出すのではなく、大幅に小型化されて１本の柱状に形成されている。
このように本実施形態の傾斜支持機構１によれば、前側の傾斜支持機構１Ｆにおいて従来のように切断部位Ｃ若しくはすみ線ガイド部Ｇ付近において上方へ大きな面積で張り出す部材が存在しない。このことから、モータ冷却風の吹き出し口２７から吹き出された冷却風が切断部位Ｃだけでなくすみ線ガイド部Ｇに向けて直接吹き付けられるため、当該すみ線ガイド部Ｇ付近に飛散した切断粉を効率よく吹き飛ばすことができ、これによりすみ線ガイド部Ｇの視認性をよくすることができる。
【０００９】
また、傾斜支持部１１ａが柱状をなしており、かつ連結ブロック３の下部が傾斜面３ｃ，３ｄによりＶ字形に形成されていることから、この点でも吹き出し口２７から吹き出されたモータ冷却風がすみ線ガイド部Ｇに吹き付けられやすくなる。
また、ベース１１の前部において上方へ大きく張り出す部材が存在しないため、使用者はすみ線ガイド部Ｇ（ベース１１の前端部）を見やすくなり、この点で当該丸鋸盤１０の使い勝手及び作業性をよくすることができる。
さらに、照明具４０の前方において邪魔になる従来の傾斜支持壁部が存在しないので、当該照明具４０によって切断部位Ｃだけでなくすみ線ガイド部Ｇをも直接明るく照らすことができ、この点でも当該すみ線ガイド部Ｇの視認性を高めることができる。また、モータ冷却風と同様、連結ブロック３の下部がＶ字形に形成されているので、すみ線ガイド部Ｇが照明具４０によってより明るく照らされる。
また、従来の傾斜支持壁部に相当する部材を省略できる分だけ、ベース１１の前部を短くして当該前端部と切断部位Ｃとの間の間隔を小さくすることができることから、例えば家屋の床面を切断する場合に当該丸鋸盤１０をより壁面に近い位置まで切断（いわゆる際切り）することができるようになり、この点で当該丸鋸盤１０の使い勝手をよくすることができる。
さらに、ベース１１の上面に大きく張り出す従来の傾斜支持壁部に相当する部材が存在しないため、万が一当該丸鋸盤１０を落下させてしまった場合に、当該傾斜支持壁部が破損することがなく、この点で当該丸鋸盤１０の耐久性を高めることができる。
【００１０】
以上説明した実施形態には、種々変更を加えて実施することができる。例えば、電動モータ２１の側部からモータ冷却風が吹き出され、これをすみ線ガイド部Ｇに吹き付けて切断粉の除去を行う構成を例示したが、当該構成を省略してもよい。また、照明具４０を省略してもよい。これらの場合であっても、ベース１１の前側において従来のアンギュラープレートが存在しないことにより、使用者はすみ線ガイド部Ｇを目視しやすくなり、当該丸鋸盤の使い勝手及び作業性を高めることができる。
また、切断機本体２０の傾動方向について、通常は電動モータ２１を水平位置から上方へ例えば最大４５°程度傾斜させる範囲で当該切断機本体２０を傾動させて傾斜切りを行うことから、連結ブロック３の切断進行方向左側（図２において右側）の傾斜面３ｄを省略してもよい。
【図面の簡単な説明】
【００１１】
【図１】本実施形態に係る傾斜支持機構を備えた丸鋸盤の斜視図である。本図は、丸鋸盤の斜め前方からブレードケースの背面側を見た状態を示している。
【図２】図１の丸鋸盤を矢印（２）方向から見た図であって、丸鋸盤の前面図である。
【図３】図１の丸鋸盤を矢印（３）方向から見た図であって、丸鋸盤の側面図である。
【図４】図１の丸鋸盤を矢印（４）方向から見た図であって、丸鋸盤の後面図である。本図は、使用者側から見た図である。
【符号の説明】
【００１２】
１…傾斜支持機構
１Ｆ…前側の傾斜支持機構、１Ｒ…後側の傾斜支持機構
２…支軸
３…連結ブロック
５…傾斜支持壁部、５ａ…傾斜案内溝部
７…デプスガイド、７ａ…ブラケット部
８…固定レバー
１０…丸鋸盤
１１…ベース、１１ａ…傾斜支持部
２０…切断機本体
２１…電動モータ
２２…ハンドル部
２５…ギヤヘッド部
２７…モータ冷却風の吹き出し口
２８…冷却ファン
３０…ブレードケース
３２…鋸歯
４０…照明具
４５…開閉カバー
Ｗ…切断材
Ｃ…切断部位
Ｇ…すみ線ガイド部
【図１】
2007331044.tif 000003
【図２】
2007331044.tif 000004
【図３】
2007331044.tif 000005
【図４】
2007331044.tif 000006